(57)【要約】【目的】  加圧で支援して筆記可能とするボールペンの加圧式の複合筆記具を提供可能とする。【構成】  ボールペンリフィールを装着するノック筒の後方に加圧機構が設けられ、その後端に摺動コマが固着され、リタ−ンスプリングを介してリフィールが軸後方に附勢され、また、後軸内孔にカム斜面が一体に設けられ、その後方の段部と筒状のノック部前端の一側に突出するノック片が形成されたノック棒との間にノックスプリングが敷設され、後軸後端から筒状のノック部が突出すると共にカム斜面の最前端部とノック片は同一線上でノック棒が後軸に対して前後動のみ可能に抜止され、ガイド筒が先軸に固定され且つ後軸に対し回転自在で抜止めされて、先軸に対して後軸を回転して筆記先端部を突出させた状態で摺動コマの後端から突出した加圧機構と連動するノック部の後端をノック片の前端でノックすることによってインキの後端が加圧される。【選択図】        図１
2005096449.tif 000002
【特許請求の範囲】
【請求項１】
先端にボールペンのチップと後方にインキ収容部を備えてなるボールペンリフィールを少なくとも一本含む複数本の筆記体を搭載して先軸先端から筆記先端部を交互に出没可能とする複合筆記具に於いて、
当該複合筆記具は、ボールペンリフィールを装着するノック筒の後方にポンピング式の加圧機構が設けられて加圧機構の後端に摺動コマが固着され、その摺動コマとガイド筒の案内溝の前端段部との間にリタ−ンスプリングが敷設されて、ボ−ルペンリフィールが軸後方に附勢され、また、後軸内孔に前方に向かう円周状のカム斜面が一体に設けられ、そのカム斜面後方の段部と筒状のノック部前端の一側に突出するノック片が形成されたノック棒との間にノックスプリングが敷設され、後軸後端から筒状のノック部が突出すると共に前記カム斜面の最前端部とノック片は同一線上でノック棒が後軸に対して前後動のみ可能に抜止され、ガイド筒が先軸に固定され且つ後軸に対し回転自在で抜止めされて、先軸に対して後軸を回転してカム斜面上で摺動コマを滑らせて、先軸先端から筆記先端部を交互に出没可能とし、先軸先端からボールペンリフィールの筆記先端部を突出させた状態で摺動コマの後端から突出した加圧機構と連動するノック部の後端をノック棒のノック片の前端でノックすることによってインキの後端が加圧されて、インキのチップ側への流動性が支援されるように構成されたことを特徴とする複合筆記具。
【発明の詳細な説明】
【技術分野】
【０００１】
本発明は、複数のボールペンリフィールを搭載して、各筆記先端部を選択的に軸先より突出可能とすると共に、ポンピング式の加圧操作によってインキのチップ側への流動性が支援されるように構成された加圧式の複合筆記具に関する。
【背景技術】
【０００２】
【特許文献１】特開２００１−２０５９８０
【特許文献２】特開２０００−６２３８７
【特許文献３】実開平１−１６１０８１（特許文献１）  インキ充填後のインキ収容管内の後端部側に加圧ガスを封入し、この加圧ガスの封入による内圧を利用することにより、ボールペンの上向き筆記を可能にするとともに、インキ収容管内でのインキの逆流現象によるインキ漏れを防止してなる加圧ボールペンが提案されている。しかしながら、このような加圧ボールペンでは、インキ収容管内への加圧ガスの封入によってコスト高になり、製造設備も複雑化するために、生産性に劣るばかりでなく、経時によって内圧が低下することを防止するために加圧力や各組み付け部品の材質、組み付け部位のシール性にも厳重な管理が必要となる。そこで、初期筆記でインキがとぎれやすいインキを使用したボールペン、主として誤記等を白色のインキで隠蔽することで修正可能とするボールペンのリフィールを搭載したノック式筆記具が提案されている。  このものは、コスト的にも安価に提供可能となるものである。しかしながら、加圧筒を前進した状態から後退作動した時に、加圧筒内が減圧される側に作用する為にインキが逆流側に影響を受けて、インキ切れの回復や加圧効率を損なう欠点が存在する。（特許文献２）  また、ボールペン筆記体の内、少なくとも一本を低粘度油性インキとした複数のボールペン筆記体を搭載して、それぞれのノック体をノックした時に係止突起がクリップ先端の係止段部に係止して筆記先端部を突出状態となり、その状態でクリップを胸ポケットに差した時に係止が解除されて筆記先端部が軸内に没入するように安全機構が設けられてなるノック式の複合筆記具が知られている。（特許文献３）  また、先軸に複数本の案内溝を有するガイド筒を着脱可能に配し、筆記体の後端に夫々摺動コマを取付けてこれら筆記体を前記ガイド筒の案内溝に夫々軸方向に移動自在に嵌装し、キャップの内径部で前面にカム斜面を備えた円筒カムをキャップに対して回転方向で一体、軸方向に可動可能として、更に、前記ガイド筒に回転且つ軸推移可能に被嵌して、キャップをガイド筒に対して回転自在で抜止めして取付けると共に、上記先軸に対してキャップを回転することにより、円筒カムのカム斜面上で夫々の摺動コマを滑らせて前後動可能とし、キャップの内径部で後端に内歯車を形成して、そこにノック棒（ボタン歯車）を嵌装して、キャップの後端よりノック部を突出させ、ノック棒をノックすることにより、ノック棒の前面に位置させた回転子（回転突出部材）を回転させて、回転子の歯を前記内歯車の歯に掛合、又は、溝に嵌入して、回転子の更に前面に位置する円筒カムを前進又は後退して位置させて、それと連動して筆記先端部を先軸の先端孔より出没させるようにしたことを特徴とした複合筆記具（複式筆記具）が提案されている。
【発明の開示】
【発明が解決しようとする課題】
【０００３】
本発明は、初期筆記でインキがとぎれやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペンなど、加圧作用で支援して筆記可能とするボールペンリフィールを少なくとも一本搭載した便利な加圧式の複合筆記具を提供可能とする。
【課題を解決するための手段】
【０００４】
本発明は、上記課題を達成するために以下の構成を有する。
請求項１に記載の発明に係る複合筆記具は、先端にボールペンのチップと後方にインキ収容部を備えてなるボールペンリフィールを少なくとも一本含む複数本の筆記体を搭載して先軸先端から筆記先端部を交互に出没可能とする複合筆記具に於いて、
当該複合筆記具は、ボールペンリフィールを装着するノック筒の後方にポンピング式の加圧機構が設けられて加圧機構の後端に摺動コマが固着され、その摺動コマとガイド筒の案内溝の前端段部との間にリタ−ンスプリングが敷設されて、ボ−ルペンリフィールが軸後方に附勢され、また、後軸内孔に前方に向かう円周状のカム斜面が一体に設けられ、そのカム斜面後方の段部と筒状のノック部前端の一側に突出するノック片が形成されたノック棒との間にノックスプリングが敷設され、後軸後端から筒状のノック部が突出すると共に前記カム斜面の最前端部とノック片は同一線上でノック棒が後軸に対して前後動のみ可能に抜止され、ガイド筒が先軸に固定され且つ後軸に対し回転自在で抜止めされて、先軸に対して後軸を回転してカム斜面上で摺動コマを滑らせて、先軸先端から筆記先端部を交互に出没可能とし、先軸先端からボールペンリフィールの筆記先端部を突出させた状態で摺動コマの後端から突出した加圧機構と連動するノック部の後端をノック棒のノック片の前端でノックすることによってインキの後端が加圧されて、インキのチップ側への流動性が支援されるように構成されてなる。
【発明の効果】
【０００５】
本発明は、初期筆記でインキがとぎれやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペンなど、加圧作用で支援して筆記可能とするボールペンリフィールを少なくとも一本搭載した便利な加圧式の複合筆記具が提供可能となる。
【発明を実施するための最良の形態】
【０００６】
先ず、図１乃至図７は本発明の実施例を示している。また、２本のボールペンリフィール１３、１４を搭載した構造で示されている。
また、本発明の意図する複合筆記具は、少なくとも一本がポンピング式の加圧作用を受けるインキが充填されたボールペンリフィールであることを特徴とするものである。
その他の筆記体としては、加圧を受けない通常の油性ボールペン、ゲルインキを搭載した水性または油性のボールペン、そしてノック作動を必要とするシャープペンシルなどが適用できる。
【０００７】
先ず、本発明の複合筆記具に搭載されるボールペンリフィールに付いて説明する。尚、実施例のボールペンリフィール１３と１４は同じ構成であり、例えば、基本的にはインキ色や描線巾などが異なるものである。
また、初期筆記でインキがとぎれやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペンなど、加圧作用で支援して筆記可能とするボールペンリフィールや、低粘度インキの水性、油性のボールペン、剪断減粘性を有したインキのボールペン、高粘度インキの油性ボールペンなど様々なボールペンが適用される。
【０００８】
従って、ボールペンリフィールは、インキの仕様やインキ収容部の太さ等によってチップ先端部の耐乾燥性、インキの直流及び逆流防止の対策が重要となる。乾燥しやすいインキ、低粘度のインキは耐乾燥性やインキの直流を防止するために先端ボールをチップのボール抱持部の内縁に密接させる手段が必要であり、インキの後端にインキと相溶性が無くインキの乾燥防止や逆流防止のフォロアが必要となる。また、必要に応じてフォロア内にフォロアと略同等の比重を有する樹脂製のフォロア棒が浸漬される。尚、フォロアは例えばシリコンゴム等の追従体とすることも可能である。また、インキ収容部が太い場合には、チップの後端とインキ収容部との間にインキの逆流を防止する弁機構が必要となる。また、加圧機構を必要とするインキに対してはインキが逆流して、弁機構部やノック機構部にインキ等が付着するのを防止するためにもフォロアが必要である。（加圧のためのシール部の劣化や加圧機構の摺動・作動不良の防止など）
しかしながら、高粘度の油性インキで、しかもインキ収容部の内径が細いものであれば、インキの直流や逆流を防止するために上記のような対応は必らずしも必要としない。
【０００９】
図５に基づき、ボールペンリフィール１３の構造について説明すると、先ずチップ１３ａはインキ流入可能なチャンネルを有した座に先端ボール１３ｂが略当接した状態で、先端ボールが回転自在に抱持されるようカシメられている。
また、チップ１３ａの内孔部にスプリング１３ｃが内挿され、チップの軸部１３ｇの後端が適宜カシメられてスプリング１３ｃの後端が抜出不能に設けられ、チップの軸部１３ｇがインキ収容管１３ｄに密嵌されて、インキ１３ｅの後端にグリース状のフォロア１３ｆが設けられている。
また、スプリング１３ｃの先方には直立状の棒軸部が形成され、この棒軸部の先端が先端ボール１３ｂの背面に押圧状に当接する。尚、先端ボールはその押圧でチップ１３ａのボール抱持部の内縁に密接状態と成されている。
【００１０】
また、図６はボールペンリフィールの他の実施形態を示している。
このボールペンリフィール１７は、継ぎ手１７ａの内孔部後方にチップ１７ｂの軸心と適宜偏心した弁室が設けられ、この弁室の後部にはテーパー状または球面状のボール受け座とインキ収容管１７ｆに連通する導孔が形成されている。
また、弁室の内壁の一側にはインキが流入可能な溝部が形成され、弁室内にはボール状の弁体１７ｅが遊嵌されて、チップを下向きにした状態で弁体がチップの軸部の後端に偏った状態に当接して、溝部等を通じて導孔を通じてインキがチップ内孔部に流入するように構成されている。
【００１１】
また更に、図７はボールペンリフィールの更に他の実施形態を示している。
このボールペンリフィール１８は、高粘度の油性インキ１８ｄが充填される。また、インキ収容管１８ｃが細い場合にはフォロア１８ｅは設けられなくてもよい。
【００１２】
先ず、図に示すように本発明の複合筆記具は、内面にカム斜面２が形成された後軸１、一端に前方に突出したノック片を有したノック棒３、ガイド筒５、先軸６、一対の摺動コマ７、８、ボ−ルペンリフィール１３、１４などを主な構成要素とする。
【００１３】
ガイド筒５は、図１に示すように略中央部から後方にかけて一対の案内溝５ｃ、５ｄを有し、前方には鍔部５ａとその前に筒部５ｅを有しており、筒部５ｅの側面には先端を楔形（図示せず）としたリブと一部を区切る形で溝を形成した係止部５ｆが一体に設けられて、全体が樹脂により一体成形されている。ガイド筒５は先軸６の後端開口部からその内部に挿入され、相互の弾性変形によりガイド筒５の係止部５ｆを先軸６の係止部６ａに係止し着脱可能に固定される。即ち、係止部６ａもガイド筒５のリブと溝に対応する溝とリブで形成されており、ガイド筒５のリブが先軸６の溝に嵌入して円周方向の回転が阻止され、先軸６のリブとガイド筒５の溝が係止して抜止される。ガイド筒５のリブを先軸６の溝に嵌入させる場合、多少円周方向で両者にズレがあっても溝の入口の縁のテ−パ−部（図示せず）とリブの楔形の先端形状によってリブは案内されることになるので両者は確実に嵌合される。無論、先軸とガイド筒との係止は螺合であっても良い。
【００１４】
ところで後軸１は、外周部後端にクリップ１ｂを備えて内孔部に前方に向かう円周状のカム斜面２が一体に形成され、そのカム斜面２の最前端部に切欠２ａが設けられている。  尚、カム斜面２は別体の円筒カムとして後軸の内孔部に固定されてもよい。
またガイド筒５は、後軸１の前方内孔部に設けられた凹溝１ａにガイド筒の鍔部５ａのやや後方に設けられた突部５ｂを相互の弾性変形により嵌着させて、後軸１に対し回転自在で抜止め固定されている。
【００１５】
一方、ボ−ルペンリフィール１３、１４はノック筒１１、１２に着脱可能に嵌着され、ノック筒１１、１２の後端には摺動コマ７、８が固着されている。（この部については後で詳説する）また、それぞれの摺動コマ７、８とガイド筒５の案内溝５ｃ、５ｄの前端段部との間にそれぞれリタ−ンスプリング１９、１９が敷設されて、ボ−ルペンリフィール１３、１４は軸後方に附勢されている。
従って先軸６に対して後軸１を回転することにより、カム斜面２上でそれぞれの摺動コマ７、８を滑らせて、それと連動してボ−ルペンリフィール１３、１４を前後動可能としている。
【００１６】
ノック棒３は、鍔部３ａの後方に設けられた筒状のノック部と、鍔部３ａの一側に前方に突出して形成されたノック片３ｂで形成され、ノック片３ｂの前端には適宜切り込み状の係合部３ｃが設けられている。
また、カム斜面２後方の内孔部前端に設けた段部２ｂとノック棒の鍔部３ａの前端との間にノックスプリング２０を敷設して、鍔部３ａの後端に前端を当接させた状態で尾栓４が後軸１の内孔部後端に固着されている。またノック棒３は、後軸１に対し回転方向には一体で前後動可能な状態に設けられ、更に前記カム斜面の切欠２ａとノック片３ｂは同一線上に設けられている。
【００１７】
図３及び図４に示すように、ノック筒１１の内孔部後端に摺動コマ７の軸部７ｂが圧入やカシメなどによって固着されている。複合筆記具の場合、できるだけ細くしたいときにはノック筒１１は薄肉の金属パイプが使用される。摺動コマ７の軸心にはノックピン９が自由に挿通する貫通孔７ｃが設けられ、外周部にはカム斜面に摺接する突起７ａが形成されている。また、摺動コマの軸部７ｂの前端に後端を当接させた状態でピストン２１が配設され、ピストン２１の軸心にはノックピン９の前方部が圧入やカシメにより固着されて、ピストンの前端に適宜突出した状態に凸部９ａが形成され、ノックピン９の後方は摺動コマの貫通孔７ｃを挿通してその後端に適宜長さを有して突出されている。
ピストン２１の外周部にはゴム等の弾性体よりなるシールリング２１ｂが設けられており、ピストンの後端が摺動コマの前端に当接した状態で、ノック筒１１の周面所要箇所に設けられた透孔１１ａにシールリング２１ｂが位置して、ピストン前方の内孔部とノック筒１１の外部の外気が連通されている。
【００１８】
また、前記ピストン２１の前方に適宜空間部を設けて、ノック筒１１の内孔部にブッシュ２２が固定され、ピストン２１の前端とブッシュ２２の後端との間にノックスプリング２４が敷設され、常時ピストン２１が後方に附勢されている。また、ブッシュ２２は、後端部軸心に通気口２２ｂとその前方にテーパー状の受け座２２ａが形成され、ブッシュ２２の前端に後端を当接した状態で軸心部に貫通孔２６ｄが形成された固定軸２６がノック筒１１の内周に圧入やカシメ等により気密状に固着され、また、前記受け座２２ａに弁体２３が押圧密接する状態で弁体２３と固定軸２６との間にスプリング２５が敷設されている。また更に、固定軸２６前端の軸部２６ｂの外周部にゴム等の弾性体よりなるシールリング２６ｅが設けられ、ノック筒１１の内孔部前端からボールペンリフィールのインキ収容管１３ｄが装着されたときにシールリング２６ｅの外周部がインキ収容管の内周部に気密状に密接する。また、ノック筒１１の外周部所要箇所に内面側突状の係合部が形成されて、ポンピングによる加圧力に対してインキ収容管を保持可能とする。
以上、摺動コマ７とノック筒１１の構成について説明したが、他方の摺動コマ８とノック筒１２の構成も同じである。
【００１９】
（作用）
複合筆記具にボールペンリフィール１３、１４が搭載され、ガイド筒５の筒部５ｅに先軸６が着脱可能に固定される。ボールペンリフィール１３、１４は、インキ収容管１３ｄ、１４ｄの後端をノック筒内部の固定軸２６の前端に密嵌して取付けられ、摺動コマ８の前端の前段部とガイド筒の案内溝５ｄの前端段部との間にリターンスプリング１９が敷設されて、ボールペンリフィール１４は後軸１の後方に附勢された状態となり、一方、ボールペンリフィール１３は、摺動コマ７の突起７ａがカム斜面２前端の切欠２ａに係止され、チップ１３ａの先端部が先軸６の先端孔から突出されると共に、ノック筒１１前端の段部１１ｃが先軸６の内段部６ｂに略当接状態となされる。尚、チップの先端部が突出した状態で先軸に対して前進が阻止される形態は、ノック筒１１の全長を短くして、ガイド筒の前方部、あるいは先軸６の所要位置にノック筒１１の前端が当接するように壁部を設けることで対処でき、また、ボールペンリフィールの前端を先軸の内段部に当接させることでも対処できるなど、上述した実施形態に限定されない。
【００２０】
図１に示された状態からノック棒３をノックすると、ノック片３ｂの係合部３ｃにノックピン９の後端が係止し、ボールペンリフィール１３の前進が阻止された状態で更なるノック棒３の前進と共にピストン２１が前進し、シールリング２１ｂがノック筒１１の透孔１１ａを越えて、ノック筒内を外気と遮断し、ノック筒内の空間部が圧縮される。
ピストン２１が前進し、ノックピンの凸部９ａの前端が弁体２３に当接して、弁体２３と受け座２２ａの密接状態が解除されると共に圧縮された空気が前方に押し込まれ、フォロア１３ｆの後端が加圧されてインキのチップ側への流動性が支援される。（図４参照）  そのことは、落下衝撃やインキの流動性の悪さ等に起因して先端ボールの周面からインキが離れてしまい連続的なインキの流出がとぎれるのを防止する作用ととぎれた時に回復する作用となる。
【００２１】
また、図４に示された状態からノック棒３の前進を解除すると、ピストン２１が後退して凸部９ａが弁体２３が離れ、弁体２３が受け座２２ａに密接した状態からフォロア１３ｆの後端が減圧されない状態でピストン２１が後退し、再び図３の状態に戻り、空間部は外気と連通する。
【００２２】
シールリング２１ｂは、ピストン２１と一体に形成することも可能であるが、寸法精度や性能面からゴム等の弾性体や弾性のある成形樹脂などより別体で設け、機密性、滑り性のよいものが選択され、また潤滑剤を介在させるなど配慮される。
【００２３】
また、上述した実施例ではピストン２１の前方に凸部９ａが突出した状態に設けられて、凸部９ａの前端が弁体２３の後端に当接するように設けられているが、無論凸部を弁体の後端に一体形成することで対処することもできる。
【図面の簡単な説明】
【００２４】
【図１】本発明の複合筆記具の後半部を示す縦断面図で、一方の筆記先端部が先軸の先端孔から突出した状態に対応している。
【図２】図１に対応する複合筆記具の前半部を示す縦断面図である。
【図３】図１の状態に対応した加圧機構部の要部拡大図である。
【図４】ノック棒を前進した状態に対応した加圧機構部の要部拡大図である。
【図５】ボールペンリフィールの縦断面図である。
【図６】ボールペンリフィールの他の形態を示す縦断面図である。
【図７】ボールペンリフィールの更に他の形態を示す縦断面図である。
【符号の説明】
【００２５】
１      後軸
１ａ    凹部
１ｂ    クリップ
２      カム斜面
２ａ    切欠
２ｂ    段部
３      ノック棒
３ａ    鍔部
３ｂ    ノック片
３ｃ    係合部
４      尾栓
５      ガイド筒
５ａ    鍔部
５ｂ    突部
５ｃ    案内溝
５ｄ    案内溝
５ｅ    筒部
５ｆ    係止部
６      先軸
６ａ    係止部
６ｂ    内段部
７      摺動コマ
７ａ    突起
７ｂ    軸部
７ｃ    貫通孔
８      摺動コマ
９      ノックピン
９ａ    凸部
１０    ノックピン
１１    ノック筒
１１ａ  透孔
１１ｂ  係合部
１１ｃ  段部
１２    ノック筒
１２ｃ  段部
１３    ボールペンリフィール
１３ａ  チップ
１３ｂ  先端ボール
１３ｃ  スプリング
１３ｄ  インキ収容管
１３ｅ  インキ
１３ｆ  フォロア
１３ｇ  軸部
１４    ボールペンリフィール
１４ａ  チップ
１７    ボールペンリフィール
１７ａ  継ぎ手
１７ｂ  チップ
１７ｃ  先端ボール
１７ｄ  スプリング
１７ｅ  弁体
１７ｆ  インキ収容管
１７ｇ  インキ
１７ｈ  フォロア
１８    ボールペンリフィール
１８ａ  チップ
１８ｂ  先端ボール
１８ｃ  インキ収容管
１８ｄ  インキ
１８ｅ  フォロア
１９    リターンスプリング
２０    ノックスプリング
２１    ピストン
２１ａ  溝部
２１ｂ  シールリング
２２    ブッシュ
２２ａ  受け座
２２ｂ  通気口
２３    弁体
２４    ノックスプリング
２５    スプリング
２６    固定軸
２６ａ  段部
２６ｂ  軸部
２６ｃ  溝部
２６ｄ  貫通孔
２６ｅ  シールリング
【図１】
2005096449.tif 000003
【図２】
2005096449.tif 000004
【図３】
2005096449.tif 000005
【図４】
2005096449.tif 000006
【図５】
2005096449.tif 000007
【図６】
2005096449.tif 000008
【図７】
2005096449.tif 000009